(57)【特許請求の範囲】
【請求項１】
設定された係数で歪み補償した第一無線周波数の送信信号を生成する信号生成部と、入力された受信信号の周波数を前記第一無線周波数と異なる第二無線周波数からベースバンド周波数に変換して再生する信号再生部と、前記信号再生部によって周波数がベースバンド周波数に変換された前記送信信号に基づいて前記係数を設定する設定部と、を備える信号処理回路の前記信号生成部によって生成された送信信号が入力される入力部と、
前記入力部によって入力された送信信号の周波数をベースバンド周波数に変換する第一変換部と、
前記第一変換部によって周波数を変換された送信信号の周波数を前記第二無線周波数に変換する第二変換部と、
前記第二変換部によって周波数を変換された送信信号を前記受信信号として前記信号再生部へ出力する出力部と、
を備えることを特徴とする変換回路。
【請求項２】
設定された係数で歪み補償した第一無線周波数の送信信号を生成する信号生成部と、入力された受信信号の周波数を前記第一無線周波数と異なる第二無線周波数からベースバンド周波数に変換して再生する信号再生部と、を備える信号処理回路の調整方法であって、
前記信号生成部によって生成された送信信号の周波数をベースバンド周波数に変換する第一変換工程と、
前記第一変換工程によって周波数を変換された送信信号の周波数を前記第二無線周波数に変換する第二変換工程と、
前記第二変換工程によって周波数を変換された送信信号を前記受信信号として前記信号再生部へ出力する出力工程と、
前記信号再生部によって周波数がベースバンド周波数に変換された前記送信信号に基づいて前記係数を設定する設定工程と、
を含むことを特徴とする調整方法。
【請求項３】
設定された係数で歪み補償した第一無線周波数の送信信号を生成する信号生成部と、前記第一無線周波数と異なる第二無線周波数の受信信号の周波数をベースバンド周波数に変換して再生する信号再生部と、を備える信号処理回路と、
前記信号生成部によって生成された送信信号の周波数をベースバンド周波数に変換する第一変換部と、
前記第一変換部によって周波数を変換された送信信号の周波数を前記第二無線周波数に変換する第二変換部と、
前記第二変換部によって周波数を変換された送信信号を前記受信信号として前記信号再生部へ出力する出力部と、
前記信号再生部によって周波数がベースバンド周波数に変換された前記送信信号に基づいて前記係数を設定する設定部と、
を含むことを特徴とする調整システム。
【請求項４】
設定された係数で歪み補償した第一無線周波数の送信信号を生成する信号生成部と、前記設定された係数を記憶する記憶部と、入力された受信信号の周波数を前記第一無線周波数と異なる第二無線周波数からベースバンド周波数に変換して再生する信号再生部と、前記信号生成部によって生成された送信信号を増幅するアンプと、前記アンプによって増幅された送信信号を出力する出力部と、前記信号再生部へ入力する前記第二無線周波数の受信信号の供給を受ける入力部とを備える無線通信装置の製造方法であって、
前記信号生成部によって生成され前記出力部から出力される前記第一無線周波数の送信信号の周波数をベースバンド周波数に変換する第一変換工程と、
前記第一変換工程によって周波数を変換された送信信号の周波数を前記第二無線周波数に変換する第二変換工程と、
前記第二変換工程によって周波数を変換された送信信号を前記受信信号として前記入力部へ出力する出力工程と、
前記出力工程によって前記入力部からの前記受信信号の供給を受けた前記信号再生部によって周波数がベースバンド周波数に変換された前記送信信号に基づいて前記係数を前記記憶部に設定する設定工程と、
を含むことを特徴とする無線通信装置の製造方法。
【発明の詳細な説明】
【技術分野】
【０００１】
本発明は、信号の調整を行う信号処理回路、無線通信装置、変換回路、調整方法および調整システムに関する。
【背景技術】
【０００２】
一般的に、携帯電話端末における送信信号の品質を向上させるために、携帯電話端末の信号処理回路の個別調整や歪み補償が用いられる（たとえば、下記特許文献１〜４参照。）。携帯電話端末の個別調整としては、たとえば、ＩチャネルとＱチャネルの各送信信号の直流電位のずれ（ＩＱオフセット）の調整や、ＩチャネルとＱチャネルの各送信信号の交流成分における振幅のバランス（振幅バランス）の調整などが挙げられる。歪み補償の例としては、信号処理回路で生じる送信信号の歪みの逆特性をあらかじめ送信信号に与えることによって歪みを補償するプリディストーションなどが挙げられる。
【０００３】
たとえば、ＩＱオフセットの調整により、送信信号のＥＶＭ（Ｅｒｒｏｒ  Ｖｅｃｔｏｒ  Ｍａｇｎｉｔｕｄｅ）が改善される。また、振幅バランスの調整により、送信信号のＡＣＰＲ（Ａｄｊａｃｅｎｔ  Ｃｈａｎｎｅｌ  Ｐｏｗｅｒ  Ｒａｔｉｏ）が改善される。また、歪み補償により、送信信号のＥＶＭおよびＡＣＰＲが改善される。
【０００４】
従来、信号処理回路をテスタに接続して送信信号のＥＶＭやＡＣＰＲを測定し、測定結果をＰＣ（Ｐｅｒｓｏｎａｌ  Ｃｏｍｐｕｔｅｒ）などの外部制御回路でモニタし、モニタ結果に基づいて外部制御回路から信号処理回路の各調整を行う技術が知られている。このような技術では、外部制御回路によって測定結果のモニタおよび信号処理回路の各調整を行うため、調整値が収束するまでに時間がかかる。
【０００５】
これに対して、たとえば信号処理回路において生成した送信信号をフィードバックするフィードバック回路を信号処理回路に内蔵し、フィードバックした送信信号を用いてプリディストーションを行う技術が知られている。フィードバック回路には、たとえば、アンプ、局部発振器、混合器、ローパスフィルタ、アナログデジタル変換器などが含まれる。
【先行技術文献】
【特許文献】
【０００６】
【特許文献１】特開２００５−２９４８９０号公報
【特許文献２】特開２００８−１７２１８号公報
【特許文献３】特開２００３−２７３７６８号公報
【特許文献４】特開平８−５６１８４号公報
【発明の概要】
【発明が解決しようとする課題】
【０００７】
しかしながら、フィードバック回路を信号処理回路に内蔵する従来の技術では、フィードバック回路の内蔵により信号処理回路の回路規模が増大するという問題がある。このため、たとえば、信号処理回路を携帯電話端末に適用すると、携帯電話端末の回路規模が増大し、携帯電話端末の大型化や高コスト化につながる。
【０００８】
開示の信号処理回路、無線通信装置、変換回路、調整方法および調整システムは、上述した問題点を解消するものであり、回路規模を縮小することを目的とする。
【課題を解決するための手段】
【０００９】
上述した課題を解決し、目的を達成するため、開示技術は、設定された係数で歪み補償した第一無線周波数の送信信号を生成する信号生成部と、入力された受信信号の周波数を前記第一無線周波数と異なる第二無線周波数からベースバンド周波数に変換して再生する信号再生部と、を備える信号処理回路に対して、前記信号生成部によって生成された送信信号の周波数をベースバンド周波数に変換し、周波数を変換された送信信号の周波数を前記第二無線周波数に変換し、周波数を変換された送信信号を前記受信信号として前記信号再生部へ出力し、前記信号再生部によって周波数がベースバンド周波数に変換された前記送信信号に基づいて前記係数を設定することを要件とする。
【発明の効果】
【００１０】
開示の信号処理回路、無線通信装置、変換回路、調整方法および調整システムによれば、回路規模を縮小することができるという効果を奏する。
【図面の簡単な説明】
【００１１】
【図１】実施の形態にかかる調整システムを示すブロック図である。
【図２】実施の形態にかかる信号処理回路の実施例を示す図である。
【図３】実施の形態にかかる変換回路の実施例を示す図である。
【図４】実施の形態にかかる調整システムの具体例を示す図である。
【図５】実施の形態にかかる調整処理の具体例を示すフローチャートである。
【発明を実施するための形態】
【００１２】
以下に添付図面を参照して、開示技術の好適な実施の形態を詳細に説明する。
【００１３】
（実施の形態）
図１は、実施の形態にかかる調整システムを示すブロック図である。図１に示すように、実施の形態にかかる調整システム２０は、信号処理回路１００と、変換回路１０と、を含む。調整システム２０は、変換回路１０を用いて、信号処理回路１００が生成する送信信号を調整するシステムである。
【００１４】
＜信号処理回路について＞
信号処理回路１００は、第一無線周波数Ｆ１の送信信号を生成して出力するとともに、入力された第二無線周波数Ｆ２の受信信号を再生する。第一無線周波数Ｆ１および第二無線周波数Ｆ２は互いに異なる高周波である。
【００１５】
信号処理回路１００は、信号生成部１１０と、信号再生部１２０と、出力部１３０と、入力部１４０と、設定部１５０と、を備えている。信号生成部１１０は、設定部１５０によって設定された係数で歪み補償した第一無線周波数Ｆ１の送信信号を生成して出力する。具体的には、信号生成部１１０は、生成部１１１と、歪み補償部１１２と、第一変換部１１３と、を備えている。
【００１６】
生成部１１１は、ベースバンド周波数Ｆｂ１の送信信号を生成し、生成した送信信号を歪み補償部１１２へ出力する。歪み補償部１１２は、信号生成部１１０から出力された送信信号を、設定部１５０によって設定された係数で歪み補償する。歪み補償部１１２は、歪み補償した送信信号を第一変換部１１３へ出力する。第一変換部１１３は、歪み補償部１１２から出力された送信信号の周波数をベースバンド周波数Ｆｂ１から第一無線周波数Ｆ１に変換する。第一変換部１１３は、周波数を変換した送信信号を出力する。
【００１７】
信号再生部１２０は、入力された受信信号の周波数を第二無線周波数Ｆ２からベースバンド周波数Ｆｂ２に変換して設定部１５０へ出力する。ベースバンド周波数Ｆｂ２は、ベースバンド周波数Ｆｂ１と同じ周波数であってもよいし、ベースバンド周波数Ｆｂ１と異なる周波数であってもよい。また、信号再生部１２０は、周波数をベースバンド周波数Ｆｂ２に変換した受信信号を再生する。
【００１８】
具体的には、信号再生部１２０は、第二変換部１２１と、再生部１２２と、を備えている。第二変換部１２１は、受信信号の周波数を第二無線周波数Ｆ２からベースバンド周波数Ｆｂ２に変換し、周波数を変換した受信信号を再生部１２２および設定部１５０へ出力する。再生部１２２は、第二変換部１２１から出力された受信信号を再生する。
【００１９】
出力部１３０は、信号生成部１１０から出力された送信信号を変換回路１０へ出力する。入力部１４０は、出力部１３０によって変換回路１０へ入力され変換回路１０から出力された送信信号を信号再生部１２０へ入力する。出力部１３０および入力部１４０は、たとえば変換回路１０に接続可能な接続端子である。
【００２０】
設定部１５０は、第二変換部１２１から出力された送信信号に基づいて、歪み補償部１１２の歪み補償における係数を設定する。たとえば、設定部１５０は、生成部１１１から出力された送信信号と、再生部１２２から出力された送信信号と、の差分が閾値以下になるように係数を設定する。これにより、送信信号の歪み補償を行い、ＥＶＭやＡＣＬＲなどの送信信号の品質を改善することができる。
【００２１】
＜変換回路について＞
変換回路１０は、入力された送信信号の周波数を第二無線周波数Ｆ２に変換する。具体的には、変換回路１０は、入力部１１と、第一変換部１２と、第二変換部１３と、出力部１４と、を備えている。入力部１１には、出力部１３０から出力された送信信号が入力される。入力部１１は、入力された送信信号を第一変換部１２へ出力する。
【００２２】
第一変換部１２は、入力部１１から出力された送信信号の周波数をベースバンド周波数Ｆｂ３に変換する。ベースバンド周波数Ｆｂ３は、ベースバンド周波数Ｆｂ１やベースバンド周波数Ｆｂ２と同じ周波数であってもよいし、ベースバンド周波数Ｆｂ１やベースバンド周波数Ｆｂ２と異なる周波数であってもよい。
【００２３】
具体的には、第一変換部１２は、入力部１１から出力された送信信号に含まれる第一無線周波数Ｆ１のチャネル成分の周波数をベースバンド周波数Ｆｂ３に変換する。または、第一変換部１２は、入力部１１から出力された送信信号に含まれる第一無線周波数Ｆ１のチャネル成分の隣接チャネル成分の周波数をベースバンド周波数Ｆｂ３に変換する。第一変換部１２は、周波数を変換した送信信号を第二変換部１３へ出力する。
【００２４】
第二変換部１３は、第一変換部１２から出力された送信信号の周波数をベースバンド周波数Ｆｂ３から第二無線周波数Ｆ２に変換する。第二変換部１３は、周波数を変換した送信信号を出力部１４へ出力する。出力部１４は、第二変換部１３から出力された送信信号を信号再生部１２０へ出力する。
【００２５】
信号生成部１１０の送信信号の調整時において、変換回路１０を信号処理回路１００に接続する。これにより、信号生成部１１０によって生成された第一無線周波数Ｆ１の送信信号が変換回路１０によって第二無線周波数Ｆ２に変換されて信号再生部１２０へ入力され、ベースバンド周波数Ｆｂ２に変換されて設定部１５０へ出力される。
【００２６】
このように、信号生成部１１０が生成する送信信号と信号再生部１２０が再生する受信信号との周波数が異なっていても（Ｆ１≠Ｆ２）、信号生成部１１０が生成した送信信号を信号再生部１２０を利用して復調（周波数変換）し、歪み補償の係数を設定することができる。このため、アナログ回路の大規模化を抑えつつ、送信信号を高速に調整することができる。信号処理回路１００の運用時は、調整時において設定部１５０によって設定された係数を用いて歪み補償部１１２が送信信号の歪み補償を行う。
【００２７】
図２は、実施の形態にかかる信号処理回路の実施例を示す図である。図２に示す無線通信装置２００は、図１に示した信号処理回路１００を適用した無線通信装置である。無線通信装置２００は、たとえば携帯電話端末である。または、無線通信装置２００は、無線基地局や無線中継局などであってもよい。無線通信装置２００は、デジタルベースバンド処理部２３０と、ＲＦトランシーバ２５０と、パワーアンプ２０８と、アイソレータ２０９と、デュプレクサ２１０と、スイッチ２１１と、アンテナ２１２と、ＵＳＢインターフェース２２４と、を備えている。
【００２８】
デジタルベースバンド処理部２３０（ＤＢＢ：Ｄｉｇｉｔａｌ  Ｂａｓｅ  Ｂａｎｄ）は、ベースバンド周波数Ｆｂ（＝Ｆｂ１＝Ｆｂ２とする）によってデジタル処理を行う。具体的には、デジタルベースバンド処理部２３０は、デジタル変調処理部２０１と、デジタルプリディストータ２４０と、デジタル復調処理部２１８と、スイッチ２２０と、不揮発メモリ２２３と、を備えている。
【００２９】
デジタル変調処理部２０１（ＭＯＤ  ＤＳＰ：ＭＯＤｕｌａｔｉｏｎ  Ｄｉｇｉｔａｌ  Ｓｉｇｎａｌ  Ｐｒｏｃｅｓｓｉｎｇ）は、デジタル変調によってＩチャネルとＱチャネルの送信信号を生成する。デジタル変調処理部２０１は、生成した送信信号をデジタルプリディストータ２４０へ出力する（ＩＱ）。また、デジタル変調処理部２０１は、たとえばＵＳＢインターフェース２２４を介した外部からの制御によって、生成する送信信号の周波数（チャネル）や電力を変化させる。
【００３０】
デジタルプリディストータ２４０は、歪み補償部２０２と、遅延部２１９と、加算器２２１と、補償係数調整部２２２と、を備えている。歪み補償部２０２は、デジタル変調処理部２０１から出力された送信信号の歪み補償を行う。具体的には、歪み補償部２０２は、デジタル変調処理部２０１から出力された送信信号の周波数（チャネル）および電力の組み合わせに対応する歪み補償係数を、不揮発メモリ２２３に記憶されたＬＵＴ（Ｌｏｏｋ  Ｕｐ  Ｔａｂｌｅ）から取得する。そして、歪み補償部２０２は、取得した歪み補償係数を送信信号に乗算することによって歪み補償を行う。歪み補償部２０２は、歪み補償を行った送信信号をＤＡＣ２０３へ出力する。
【００３１】
ＲＦトランシーバ２５０は、デジタルベースバンド処理部２３０から出力されたベースバンド周波数Ｆｂの送信信号を第一無線周波数Ｆ１のアナログ信号に変換してパワーアンプ２０８へ出力する。また、ＲＦトランシーバ２５０は、デュプレクサ２１０から出力された第二無線周波数Ｆ２の受信信号をベースバンド周波数Ｆｂのデジタル信号に変換してデジタルベースバンド処理部２３０へ出力する。
【００３２】
具体的には、ＲＦトランシーバ２５０は、ＤＡＣ２０３と、ＬＰＦ２０４と、局部発振器２０５と、混合器２０６と、プリアンプ２０７と、アンプ２１３と、局部発振器２１４と、混合器２１５と、ＬＰＦ２１６と、ＡＤＣ２１７と、を備えている。ＤＡＣ２０３（Ｄｉｇｉｔａｌ／Ａｎａｌｏｇ  Ｃｏｎｖｅｒｔｅｒ）は、歪み補償部２０２から出力された送信信号をアナログ信号に変換し、アナログ信号に変換した送信信号をＬＰＦ２０４へ出力する。ＬＰＦ２０４（Ｌｏｗ  Ｐａｓｓ  Ｆｉｌｔｅｒ）は、ＤＡＣ２０３から出力された送信信号の帯域制限を行い、帯域制限を行った送信信号を混合器２０６へ出力する。
【００３３】
局部発振器２０５および混合器２０６は、ＤＡＣ２０３から出力された送信信号の周波数をベースバンド周波数Ｆｂから第一無線周波数Ｆ１に変換する。具体的には、局部発振器２０５は、局発信号を発振して混合器２０６へ出力する。局部発振器２０５が発振する局発信号の周波数は、たとえば第一無線周波数Ｆ１からベースバンド周波数Ｆｂを引いた周波数（Ｆ１−Ｆｂ）である。
【００３４】
混合器２０６は、ＬＰＦ２０４から出力された送信信号を、局部発振器２０５から出力された局発信号と混合する。混合器２０６は、局発信号と混合した送信信号をプリアンプ２０７へ出力する。これにより、周波数Ｆ１の送信信号と、周波数（Ｆ１−２・Ｆｂ）の送信信号と、が出力される。周波数（Ｆ１−２・Ｆｂ）の送信信号は、たとえば後段の回路（たとえばプリアンプ２０７）の帯域制限によって除去する。これにより、送信信号の周波数がベースバンド周波数Ｆｂから第一無線周波数Ｆ１に変換される。
【００３５】
プリアンプ２０７は、混合器２０６から出力された送信信号を増幅し、増幅した送信信号をパワーアンプ２０８へ出力する（Ｔｘ）。パワーアンプ２０８（ＰＡ：Ｐｏｗｅｒ  Ａｍｐｌｉｆｉｅｒ）は、プリアンプ２０７から出力された送信信号を増幅し、増幅した送信信号をアイソレータ２０９へ出力する。
【００３６】
アイソレータ２０９は、パワーアンプ２０８から出力された送信信号をデュプレクサ２１０へ出力するとともに、デュプレクサ２１０から出力された信号を遮断する。これにより、デュプレクサ２１０から出力された受信信号がパワーアンプ２０８へ漏洩することを回避することができる。デュプレクサ２１０は、アイソレータ２０９から出力された送信信号をスイッチ２１１へ出力する。また、デュプレクサ２１０は、スイッチ２１１から出力された受信信号または送信信号をアンプ２１３へ出力する（Ｒｘ）。
【００３７】
スイッチ２１１（ＳＷ：ＳＷｉｔｃｈ）は、デュプレクサ２１０から出力された送信信号を、アンテナ２１２および変換回路１０のいずれかへ出力する。また、スイッチ２１１は、アンテナ２１２から出力された受信信号と、変換回路１０から出力された送信信号と、のいずれかをデュプレクサ２１０へ出力する。スイッチ２１１は、たとえばＵＳＢインターフェース２２４を介して外部から制御される。
【００３８】
たとえば、スイッチ２１１は、無線通信装置２００の調整時においては、デュプレクサ２１０から出力された送信信号を変換回路１０へ出力するとともに、変換回路１０から出力された送信信号をデュプレクサ２１０へ出力するように制御される。また、スイッチ２１１は、無線通信装置２００の運用時においては、デュプレクサ２１０から出力された送信信号をアンテナ２１２へ出力するとともに、アンテナ２１２から出力された送信信号をデュプレクサ２１０へ出力するように制御される。
【００３９】
アンテナ２１２は、他の無線通信装置との間で信号を送受信する。具体的には、アンテナ２１２は、スイッチ２１１から出力された送信信号を他の無線通信装置へ無線送信する。また、アンテナ２１２は、他の無線通信装置から無線送信された信号を受信し、受信した信号を受信信号としてスイッチ２１１へ出力する。
【００４０】
アンプ２１３は、デュプレクサ２１０から出力された信号（受信信号または送信信号）を増幅し、増幅した信号を混合器２１５へ出力する。局部発振器２１４および混合器２１５は、アンプ２１３から出力された信号の周波数を第二無線周波数Ｆ２からベースバンド周波数Ｆｂに変換する。具体的には、局部発振器２１４は、局発信号を発振して混合器２１５へ出力する。局部発振器２１４が発振する局発信号の周波数は、たとえば第二無線周波数Ｆ２からベースバンド周波数Ｆｂを引いた周波数（Ｆ２−Ｆｂ）である。
【００４１】
混合器２１５は、アンプ２１３から出力された信号を、局部発振器２１４から出力された局発信号と混合する。混合器２１５は、局発信号と混合した信号をＡＤＣ２１７へ出力する。これにより、周波数Ｆｂの信号と、周波数（２・Ｆ２−Ｆｂ）の信号と、が出力される。周波数（２・Ｆ２−Ｆｂ）の信号は、たとえば後段の回路（たとえばＬＰＦ２１６）の帯域制限によって除去する。これにより、信号の周波数が第二無線周波数Ｆ２からベースバンド周波数Ｆｂに変換される。
【００４２】
ＬＰＦ２１６は、混合器２１５から出力された信号の帯域制限を行い、帯域制限を行った信号をＡＤＣ２１７へ出力する。ＡＤＣ２１７（Ａｎａｌｏｇ／Ｄｉｇｉｔａｌ  Ｃｏｎｖｅｒｔｅｒ）は、ＬＰＦ２１６から出力された信号をデジタル信号に変換し、デジタル信号に変換した信号をデジタル復調処理部２１８およびスイッチ２２０へ出力する。
【００４３】
デジタル復調処理部２１８（ＤＥＭ  ＤＳＰ：ＤＥＭｏｄｕｌａｔｉｏｎ  ＤＳＰ）は、ＡＤＣ２１７から出力された信号をデジタル復調することによって再生する。具体的には、デジタル復調処理部２１８は、無線通信装置２００の運用時にＡＤＣ２１７から出力された受信信号を再生する。
【００４４】
スイッチ２２０は、無線通信装置２００の調整時にはＡＤＣ２１７から出力される送信信号をデジタルプリディストータ２４０へ出力する。これにより、デジタル変調処理部２０１によって生成されて歪み補償部２０２によって歪み補償された送信信号を歪み補償部２０２へ帰還させることができる。このため、歪み補償部２０２は、帰還した送信信号を用いて歪み補償の係数を設定することができる。
【００４５】
また、スイッチ２２０は、無線通信装置２００の運用時にはＡＤＣ２１７からデジタルプリディストータ２４０へ出力される受信信号を遮断する。これにより、無線通信装置２００の運用時に受信信号がデジタルプリディストータ２４０へ漏洩し、デジタル復調処理部２１８における受信信号の再生品質が低下することを回避することができる。スイッチ２２０は、たとえばＵＳＢインターフェース２２４を介して外部から制御される。
【００４６】
遅延部２１９は、デジタル変調処理部２０１から出力された送信信号を所定の遅延量だけ遅延させ、遅延させた送信信号を加算器２２１へ出力する。遅延部２１９における所定の遅延量は、歪み補償部２０２によって歪み補償された送信信号がスイッチ２２０から歪み補償部２０２へ帰還するまでにかかる時間によって設定する。
【００４７】
加算器２２１は、遅延部２１９から出力された送信信号と、スイッチ２２０から出力された送信信号と、を加算する。ここで、遅延部２１９から加算器２２１へ出力された送信信号は、スイッチ２２０から出力された送信信号に対して反転しているとする。したがって、加算器２２１による加算によって、遅延部２１９から出力された送信信号と、スイッチ２２０から出力された送信信号と、の差分が算出される。加算器２２１は、算出した差分を示す信号を補償係数調整部２２２へ出力する。
【００４８】
補償係数調整部２２２は、加算器２２１から出力された信号に基づいて、歪み補償部２０２における歪み補償の係数を調整する。具体的には、補償係数調整部２２２は、アダプティブアルゴリズムを用いて、遅延部２１９から出力された信号の大きさが最小となるように歪み補償部２０２における歪み補償の係数を調整する。たとえば、補償係数調整部２２２は、遅延部２１９から出力された信号の大きさが閾値以下になるように歪み補償部２０２における歪み補償の係数を調整する。
【００４９】
補償係数調整部２２２は、調整した歪み補償の係数を歪み補償部２０２に設定する。これにより、たとえばパワーアンプ２０８などにおいて生じる送信信号の歪みを補償することができる。また、補償係数調整部２２２は、歪み補償の係数が収束すると、ＵＳＢインターフェース２２４を介して外部へ収束通知を出力するようにしてもよい。収束通知には、たとえば収束したときの歪み補償の係数を含めてもよい。
【００５０】
不揮発メモリ２２３は、たとえば電力や周波数などの送信信号の各パラメータの組み合わせと、歪み補償部２０２における歪み補償の係数と、を対応付けたＬＵＴを記憶する。たとえば、不揮発メモリ２２３のＬＵＴは、ＵＳＢインターフェース２２４を介した外部からの制御によって書き込まれる。ＵＳＢインターフェース２２４（ＵＳＢ  Ｉ／Ｆ：Ｕｎｉｖｅｒｓａｌ  Ｓｅｒｉａｌ  Ｂｕｓ  ＩｎｔｅｒＦａｃｅ）は、無線通信装置２００が外部の制御装置（たとえばＰＣ）との間で通信を行うインターフェースである。
【００５１】
図３は、実施の形態にかかる変換回路の実施例を示す図である。図３に示す変換回路３００は、図１に示した変換回路１０の実施例である。変換回路３００は、直交復調器３２０と、テスタ３３０と、を備えている。直交復調器３２０は、カプラ３０１と、アンプ３０２と、局部発振器３０３と、混合器３０４と、ＬＰＦ３０５と、を備えている。
【００５２】
カプラ３０１は、無線通信装置２００のスイッチ２１１から出力された送信信号をアンプ３０２およびサーキュレータ３０９へ出力する。また、カプラ３０１は、サーキュレータ３０９から出力された送信信号を無線通信装置２００のスイッチ２１１へ出力する。アンプ３０２は、カプラ３０１から出力された送信信号を増幅する。アンプ３０２は、増幅した送信信号を混合器３０４へ出力する。
【００５３】
局部発振器３０３および混合器３０４は、アンプ３０２から出力された送信信号の周波数をベースバンド周波数Ｆｂ（＝Ｆｂ３とする）に変換する。具体的には、局部発振器３０３は、局発信号を発振して混合器３０４へ出力する。局部発振器３０３が発振する局発信号の周波数は、たとえば第一無線周波数Ｆ１からベースバンド周波数Ｆｂを引いた周波数（Ｆ１−Ｆｂ）である。
【００５４】
混合器３０４は、アンプ３０２から出力された送信信号を、局部発振器３０３から出力された局発信号と混合する。混合器３０４は、局発信号と混合した送信信号をＬＰＦ３０５へ出力する。これにより、周波数（２・Ｆ１−Ｆｂ）の信号と、周波数Ｆｂの信号と、が出力される。周波数（２・Ｆ１−Ｆｂ）の信号は、たとえば後段の回路（たとえばＬＰＦ３０５）の帯域制限によって除去する。これにより、送信信号の周波数が第一無線周波数Ｆ１からベースバンド周波数Ｆｂに変換される。
【００５５】
ＬＰＦ３０５は、混合器３０４から出力された送信信号の帯域制限を行い、帯域制限を行った送信信号をテスタ３３０へ出力する。テスタ３３０（ＴＲＸ  Ｔｅｓｔｅｒ）は、無線通信装置２００から出力された送信信号を測定したり、テスト用の受信信号を生成して無線通信装置２００へ入力するテスタである。具体的には、デジタル変調処理部３０６と、スイッチ３０７と、受信信号生成部３０８と、サーキュレータ３０９と、送信信号処理部３１０と、を備えている。
【００５６】
デジタル変調処理部３０６（ＭＯＤ  ＤＳＰ）は、無線通信装置２００のテスト用の受信信号をデジタル変調によって生成する。デジタル変調処理部３０６は、生成した受信信号をスイッチ３０７へ出力する。スイッチ３０７は、ＬＰＦ３０５から出力された送信信号と、デジタル変調処理部３０６から出力された受信信号と、のいずれかを受信信号生成部３０８へ出力する。ここでは、スイッチ３０７はＬＰＦ３０５から出力された送信信号を受信信号生成部３０８へ出力するように制御される。
【００５７】
受信信号生成部３０８（Ｄｏｗｎ  Ｌｉｎｋ）は、スイッチ３０７から出力された送信信号に基づいて、無線通信装置２００へ入力する受信信号を生成するベクトルシグナルジェネレータである。具体的には、受信信号生成部３０８は、スイッチ３０７から出力された送信信号の周波数をベースバンド周波数Ｆｂから第二無線周波数Ｆ２に変換する。たとえば、受信信号生成部３０８は、スイッチ３０７から出力された送信信号と、周波数（Ｆ２−Ｆｂ）の局発信号と、を混合することによって周波数を変換する。受信信号生成部３０８は、周波数を変換した送信信号を受信信号としてサーキュレータ３０９へ出力する。
【００５８】
サーキュレータ３０９は、カプラ３０１から出力された送信信号を送信信号処理部３１０へ出力する。また、サーキュレータ３０９は、受信信号生成部３０８から出力された送信信号をカプラ３０１へ出力する。送信信号処理部３１０（Ｕｐ  Ｌｉｎｋ）は、サーキュレータ３０９から出力された送信信号の再生などを行う。
【００５９】
たとえば、図３に示した変換回路３００において、デジタル変調処理部３０６、スイッチ３０７、サーキュレータ３０９および送信信号処理部３１０を省いた構成にしてもよい。この場合は、受信信号生成部３０８は、ＬＰＦ３０５から出力された送信信号の周波数を変換し、周波数を変換した送信信号をカプラ３０１へ出力する。
【００６０】
なお、ここでは局部発振器３０３および混合器３０４において、送信信号に含まれる第一無線周波数Ｆ１のチャネル成分の周波数をベースバンド周波数Ｆｂに変換する場合について説明した。これに対して、局部発振器３０３および混合器３０４において、送信信号に含まれる第一無線周波数Ｆ１のチャネル成分の隣接チャネル成分の周波数Ｆ３（≠Ｆ１）の成分をベースバンド周波数Ｆｂに変換してもよい。これにより、無線通信装置２００において、隣接チャネル成分に基づいて歪み補償を行うスカラ型のプリディストーションを行うことができる。この場合は、局部発振器３０３が発振する局発信号の周波数を、たとえば周波数Ｆ３からベースバンド周波数Ｆｂを引いた周波数（Ｆ３−Ｆｂ）とする。
【００６１】
図４は、実施の形態にかかる調整システムの具体例を示す図である。調整システム４００は、無線通信装置２００と、変換回路３００と、ＰＣ４１０と、を含んでいる。図４に示すように、無線通信装置２００の調整時においては、無線通信装置２００の加算器２２１と変換回路３００のカプラ３０１が接続される。また、無線通信装置２００のＵＳＢインターフェース２２４にはＰＣ４１０が接続される。
【００６２】
ＰＣ４１０は、無線通信装置２００のＵＳＢインターフェース２２４を介して無線通信装置２００の制御を行う。たとえば、ＰＣ４１０は、無線通信装置２００の電源のオン／オフを制御する。また、ＰＣ４１０は、無線通信装置２００のデジタル変調処理部２０１が生成する送信信号の電力や周波数（チャネル）を制御する。また、ＰＣ４１０は、無線通信装置２００のスイッチ２１１やスイッチ２２０を制御する。また、ＰＣ４１０は、無線通信装置２００の歪み補償部２０２から出力される収束通知を取得する。また、無線通信装置２００の不揮発メモリ２２３のＬＵＴの作成および更新を行う。
【００６３】
図５は、実施の形態にかかる調整処理の具体例を示すフローチャートである。図４に示した調整システム４００において、ＰＣ４１０は、ＵＳＢインターフェース２２４を介して無線通信装置２００を制御することによって無線通信装置２００の調整を行う。まず、ＰＣ４１０は、無線通信装置２００の電源をオンにする（ステップＳ５０１）。
【００６４】
つぎに、ＰＣ４１０は、無線通信装置２００の各スイッチの制御を行う（ステップＳ５０２）。具体的には、ＰＣ４１０は、スイッチ２１１がデュプレクサ２１０と変換回路３００とを接続するように制御するとともに、スイッチ２２０がＡＤＣ２１７と加算器２２１とを接続するように制御する。
【００６５】
つぎに、ＰＣ４１０は、デジタル変調処理部２０１が生成する送信信号の周波数を設定する（ステップＳ５０３）。つぎに、ＰＣ４１０は、デジタル変調処理部２０１が生成する送信信号の電力を設定する（ステップＳ５０４）。つぎに、ＰＣ４１０は、補償係数調整部２２２に歪み補償係数の調整を開始させる（ステップＳ５０５）。つぎに、ＰＣ４１０は、補償係数調整部２２２から出力される収束通知を受信したか否かを判断し（ステップＳ５０６）、収束通知を受信するまで待つ（ステップＳ５０６：Ｎｏのループ）。
【００６６】
ステップＳ５０６において収束通知を受信した場合（ステップＳ５０６：Ｙｅｓ）は、ＰＣ４１０は、現在設定している周波数および電力の組み合わせと、受信した収束通知が示す歪み補償の係数と、を対応付けて不揮発メモリ２２３（ＬＵＴ）に記憶させる（ステップＳ５０７）。つぎに、ＰＣ４１０は、すべての電力で収束通知を受信したか否かを判断する（ステップＳ５０８）。
【００６７】
ステップＳ５０８においてすべての電力で収束通知を受信していない場合（ステップＳ５０８：Ｎｏ）は、ＰＣ４１０は、ステップＳ５０４へ戻って無線通信装置２００の電力を再設定する。すべての電力で収束通知を受信した場合（ステップＳ５０８：Ｙｅｓ）は、ＰＣ４１０は、すべての周波数で収束通知を受信したか否かを判断する（ステップＳ５０９）。すべての周波数で収束通知を受信していない場合（ステップＳ５０９：Ｎｏ）は、ＰＣ４１０は、ステップＳ５０３へ戻って無線通信装置２００の周波数を再設定する。すべての周波数で収束通知を受信した場合（ステップＳ５０９：Ｙｅｓ）は、ＰＣ４１０は、一連の処理を終了する。
【００６８】
以上の各ステップにより、送信信号の電力および周波数の各組み合わせについて、歪み補償の係数を不揮発メモリ２２３に記憶させ、歪み補償の係数のＬＵＴを生成することができる。また、ステップＳ５０５によって開始される歪み補償係数の調整は、ＰＣ４１０を介さずに無線通信装置２００および変換回路３００によって行われるため、高速に実現することができる。
【００６９】
なお、ここではＰＣ４１０が収束通知を受信するごとに歪み補償の係数を不揮発メモリ２２３に記憶させる処理について説明した。これに対して、ＰＣ４１０は、すべての電力および周波数で収束通知を受信した後に、電力および周波数の各組み合わせに対応する係数をまとめて不揮発メモリ２２３に記憶させてもよい。
【００７０】
以上説明したように、信号処理回路、無線通信装置、変換回路、調整方法および調整システムは、信号処理回路が出力した第一無線周波数の送信信号を第二無線周波数に変換して信号処理回路へ入力し、入力した送信信号を用いて歪み補償の係数を設定する。これにより、たとえばＰＣなどの外部制御装置を介さなくても歪み補償の係数を設定することができるため、送信信号の調整値を高速に収束させることができる。このため、信号処理回路の個別調整にかかる時間を短縮することができる。
【００７１】
また、外部の変換回路と、受信信号の再生に用いる信号再生部と、を利用して送信信号をフィードバックすることで、たとえば送信信号をフィードバックするフィードバック回路を信号処理回路に内蔵する場合に比べて回路規模を縮小することができる。たとえば、信号処理回路を携帯電話端末に適用することで、携帯電話端末の回路規模を縮小することができるため、携帯電話端末の小型化および低コスト化を図ることができる。
【００７２】
上述した実施の形態に関し、さらに以下の付記を開示する。
【００７３】
（付記１）設定された係数で歪み補償した第一無線周波数の送信信号を生成する信号生成部と、
入力された受信信号の周波数を前記第一無線周波数と異なる第二無線周波数からベースバンド周波数に変換して再生する信号再生部と、
信号の周波数を前記第二無線周波数に変換する変換回路へ前記信号生成部によって生成された送信信号を出力する出力部と、
前記変換回路によって周波数を変換された送信信号を前記受信信号として前記信号再生部へ入力する入力部と、
前記信号再生部によって周波数がベースバンド周波数に変換された前記送信信号に基づいて前記係数を設定する設定部と、
を備えることを特徴とする信号処理回路。
【００７４】
（付記２）運用時に前記信号再生部から前記設定部へ出力される前記受信信号を遮断するスイッチを備えることを特徴とする付記１に記載の信号処理回路。
【００７５】
（付記３）前記信号再生部は、
前記受信信号の周波数を前記第二無線周波数からベースバンド周波数に変換する変換部と、
前記変換部によって周波数を変換された受信信号を再生する再生部と、
を備え、
前記設定部は、前記変換部によって周波数を変換された前記送信信号に基づいて前記係数を設定することを特徴とする付記１に記載の信号処理回路。
【００７６】
（付記４）前記信号生成部は、
ベースバンド周波数の送信信号を生成する生成部と、
前記生成部によって生成された送信信号を前記係数により歪み補償する補償部と、
前記補償部によって歪み補償された送信信号の周波数をベースバンド周波数から前記第一無線周波数に変換する変換部と、
を備えることを特徴とする付記１に記載の信号処理回路。
【００７７】
（付記５）付記１に記載の信号処理回路と、
前記信号生成部によって生成された送信信号を増幅するアンプと、
信号を送受信するアンテナと、
を備え、
前記出力部は、前記アンプによって増幅された送信信号を前記アンテナおよび前記変換回路のいずれかへ切り替えて出力し、
前記入力部は、前記アンテナによって受信された受信信号と、前記変換回路によって周波数を変換された送信信号と、のいずれかを切り替えて前記信号再生部へ入力することを特徴とする無線通信装置。
【００７８】
（付記６）設定された係数で歪み補償した第一無線周波数の送信信号を生成する信号生成部と、入力された受信信号の周波数を前記第一無線周波数と異なる第二無線周波数からベースバンド周波数に変換して再生する信号再生部と、前記信号再生部によって周波数がベースバンド周波数に変換された前記送信信号に基づいて前記係数を設定する設定部と、を備える信号処理回路の前記信号生成部によって生成された送信信号が入力される入力部と、
前記入力部によって入力された送信信号の周波数をベースバンド周波数に変換する第一変換部と、
前記第一変換部によって周波数を変換された送信信号の周波数を前記第二無線周波数に変換する第二変換部と、
前記第二変換部によって周波数を変換された送信信号を前記受信信号として前記信号再生部へ出力する出力部と、
を備えることを特徴とする変換回路。
【００７９】
（付記７）前記第一変換部は、前記送信信号に含まれる前記第一無線周波数のチャネル成分をベースバンド周波数に変換することを特徴とする付記６に記載の変換回路。
【００８０】
（付記８）前記第一変換部は、前記送信信号に含まれる前記第一無線周波数のチャネル成分の隣接チャネル成分をベースバンド周波数に変換することを特徴とする付記６に記載の変換回路。
【００８１】
（付記９）設定された係数で歪み補償した第一無線周波数の送信信号を生成する信号生成部と、入力された受信信号の周波数を前記第一無線周波数と異なる第二無線周波数からベースバンド周波数に変換して再生する信号再生部と、を備える信号処理回路の調整方法であって、
前記信号生成部によって生成された送信信号の周波数をベースバンド周波数に変換する第一変換工程と、
前記第一変換工程によって周波数を変換された送信信号の周波数を前記第二無線周波数に変換する第二変換工程と、
前記第二変換工程によって周波数を変換された送信信号を前記受信信号として前記信号再生部へ出力する出力工程と、
前記信号再生部によって周波数がベースバンド周波数に変換された前記送信信号に基づいて前記係数を設定する設定工程と、
を含むことを特徴とする調整方法。
【００８２】
（付記１０）設定された係数で歪み補償した第一無線周波数の送信信号を生成する信号生成部と、前記第一無線周波数と異なる第二無線周波数の受信信号の周波数をベースバンド周波数に変換して再生する信号再生部と、を備える信号処理回路と、
前記信号生成部によって生成された送信信号の周波数をベースバンド周波数に変換する第一変換部と、
前記第一変換部によって周波数を変換された送信信号の周波数を前記第二無線周波数に変換する第二変換部と、
前記第二変換部によって周波数を変換された送信信号を前記受信信号として前記信号再生部へ出力する出力部と、
前記信号再生部によって周波数がベースバンド周波数に変換された前記送信信号に基づいて前記係数を設定する設定部と、
を含むことを特徴とする調整システム。
【符号の説明】
【００８３】
２０，４００  調整システム
２０１，３０６  デジタル変調処理部
２０５，２１４，３０３  局部発振器
２０６，２１５，３０４  混合器
２０７  プリアンプ
２０８  パワーアンプ
２１１，２２０，３０７  スイッチ
２１２  アンテナ
２１３，３０２  アンプ
２１７  ＡＤＣ
２１８  デジタル復調処理部
２２１  加算器
２２４  ＵＳＢインターフェース
２４０  デジタルプリディストータ
２５０  ＲＦトランシーバ
３０８  受信信号生成部
３０９  サーキュレータ
３１０  送信信号処理部
３２０  直交復調器
４１０  ＰＣ
【図１】
0005589696.tif 000002
【図２】
0005589696.tif 000003
【図３】
0005589696.tif 000004
【図４】
0005589696.tif 000005
【図５】
0005589696.tif 000006